(57)【要約】【課題】一の部材で左右あるいは上下の開き勝手に対応できてコストの上昇を抑えることができるようにすること。【解決手段】ストッパー部材４は、枠体２に対して開閉自在に取り付けられた障子３を有する開き窓１に取り付けられる。ストッパー部材４は、上端部が障子３に揺動自在に取り付けられ、下端部に係合ピン１７が設けられたアーム本体１２と、枠体２に取り付けられ、係合ピン１７を案内するガイド溝３３Ａを有するガイド枠３０と、ガイド溝３３Ａの一端部の開放部Ｐを開閉するように、ガイド枠３０に移動可能に取り付けられ、開放部Ｐを開いた位置でガイド溝３３Ａの両側に係合ピン１７を導入する開口部Ｑ１，Ｑ２を形成させるスライダ４０とを備える。ガイド枠３０には、係合ピン１７が開口部Ｑ１から脱け出すようなアーム本体１２の揺動を規制する突起３４が着脱自在に設けられる。【選択図】図８
2005344291.tif 000002
【特許請求の範囲】
【請求項１】
枠体と、この枠体に対して開閉自在に取り付けられた障子とを有する開き窓における、前記枠体に対する前記障子の開度を規制するストッパー部材であって、
基端部が前記障子に揺動自在に取り付けられ、先端部に係合ピンが設けられたアームと、
前記枠体に取り付けられ、前記係合ピンを案内するガイド溝を備えるガイド枠と、
前記ガイド溝の一端部を開閉するよう前記ガイド枠に移動可能に取り付けられ、前記一端部を開いた位置で、前記ガイド溝の両側に前記係合ピンを導入するための開口部を形成させるスライド部材と、
前記ガイド枠に着脱自在に取り付けられ、前記係合ピンが一方の開口部から脱け出すような前記アームの揺動を規制するための突起とを備えることを特徴とするストッパー部材。
【請求項２】
前記アームは、前記障子に取り付けられるベース部材と、このベース部材に対して揺動自在に取り付けられたアーム本体とを備え、
前記ベース部材には、前記係合ピンが、前記一方の開口部とは反対側の開口部から脱け出すような前記アーム本体の揺動を規制する拘束部材が設けられていることを特徴とする請求項１に記載のストッパー部材。
【請求項３】
前記拘束部材は、前記アーム本体を前記ベース部材側へ押さえ込みながら前記アーム本体の揺動を規制することを特徴とする請求項２記載のストッパー部材。
【請求項４】
請求項１〜３のうち何れかに記載のストッパー部材を備えた開き窓。
【発明の詳細な説明】
【技術分野】
【０００１】
本発明は、ストッパー部材および開き窓に関し、特に、開き窓を構成する枠体と障子との間に配置され、枠体に対する障子の開度を規制するストッパー部材および開き窓に関する。
【背景技術】
【０００２】
従来、枠体に対して開閉自在に取り付けられた障子を有する開き窓には、枠体と障子との間に、枠体に対する障子の開度を規制するとともに、必要に応じて、この開度規制を解除して障子を全開させることもできるストッパー部材（ステー）が用いられている。このようなストッパー部材としては、例えば特許文献１に示すものがある。
【０００３】
図１４は、右開き窓に取り付けられた従来のストッパー部材を示す側面図である。図１４に示すように、従来のストッパー部材１００は、基端部が障子１０２の小口部分に揺動自在に取り付けられ、かつ、先端部に係合ピン１１２が設けられたアーム１１０と、枠体１０１の内側に取り付けられたガイド枠１２０とを備えている。ガイド枠１２０には、係合ピン１１２と係合し、この係合した係合ピン１１２をスライド移動させるためのガイド溝１２２が上下方向に延びるように形成されている。ガイド溝１２２の下端部分における室外側（図中の右側）には、障子１０２を閉じた際に係合ピン１１２の出入りを可能にする開口部１２２Ａが形成されている。また、ガイド枠１２０には、ガイド溝１２２に沿ってスライドして開口部１２２Ａを開閉するシャッター部１３０が設けられている。
【０００４】
上記したストッパー部材１００の構成によれば、シャッター部１３０を操作して開口部１２２Ａを閉じた状態で障子１０２を開くと、アーム１１０が基端部を支点として揺動しながら、その先端部に設けられた係合ピン１１２がガイド溝１２２内を上方へとスライドする。スライドした係合ピン１１２は、最終的にはガイド溝１２２の上端部分に当接し、それ以上スライドできなくなる。このように、障子１０２の開度は、係合ピン１１２のスライド範囲、つまりアーム１１０の揺動範囲に規制される。
【０００５】
また、シャッター部１３０を操作して開口部１２２Ａを開いた状態で障子１０２を開くと、係合ピン１１２が開口部１２２Ａからガイド溝１２２の外部に出る。この場合は、係合ピン１１２とガイド溝１２２とが係合しないので、障子１０２は、アーム１１０による開度の規制を受けることなく大きく開くことができる。
このようなストッパー部材１００によれば、シャッター部１３０を操作することにより、障子１０２の開度が規制された状態と、障子１０２の開度が規制されない状態とのいずれかの状態を選択して、障子１０２の開閉を行うことができる。
【特許文献１】特開平２００１−９８８２７号公報
【発明の開示】
【発明が解決しようとする課題】
【０００６】
しかしながら、上述したストッパー部材１００では、ガイド溝１２２における室外側のみに開口部１２２Ａが形成されているので、右開き窓に使用するストッパー部材と左開き窓に使用するストッパー部材とでは、開口部の位置が逆になる。このため、右開き窓用と左開き窓用として、開き勝手ごとに専用のストッパー部材１００を製造する必要があり、構成部品の種類が増加して、コスト高に繋がるという問題がある。なお、このような問題は、右開き窓用と左開き窓用との場合だけに限らず、上開き窓用と下開き窓用との場合でも同様である。
本発明の目的は、一の部材で左右あるいは上下の開き勝手に対応できてコストの上昇を抑えることができるストッパー部材および開き窓を提供することにある。
【課題を解決するための手段】
【０００７】
本発明は、枠体と、この枠体に対して開閉自在に取り付けられた障子とを有する開き窓における、前記枠体に対する前記障子の開度を規制するストッパー部材であって、基端部が前記障子に揺動自在に取り付けられ、先端部に係合ピンが設けられたアームと、前記枠体に取り付けられ、前記係合ピンを案内するガイド溝を備えるガイド枠と、前記ガイド溝の一端部を開閉するよう前記ガイド枠に移動可能に取り付けられ、前記一端部を開いた位置で、前記ガイド溝の両側に前記係合ピンを導入するための開口部を形成させるスライド部材と、前記ガイド枠に着脱自在に取り付けられ、前記係合ピンが一方の開口部から脱け出すような前記アームの揺動を規制するための突起とを備えることを特徴とする。
【０００８】
本発明によれば、ガイド枠に形成されたガイド溝の一端部を開くようにスライド部材を移動させて、ガイド溝の両側に開口部を形成するとともに、係合ピンを導入する開口部とは反対側の一方の開口部から係合ピンが脱け出すようなアーム本体の揺動を規制する突起をガイド枠に着脱自在に取り付ける構成としたので、開き窓の開き勝手に応じて、突起の位置を適宜入れ替えることにより、例えば、右開き窓に使用するストッパー部材をそのまま左開き窓にも用いることができる。このため、一つのストッパー部材で、左右あるいは上下の開き勝手に対応でき、ストッパー部材に掛かるコストの上昇を抑えることができる。
【０００９】
ここで、前記アームは、前記障子に取り付けられるベース部材と、このベース部材に対して揺動自在に取り付けられたアーム本体とを備え、前記ベース部材には、前記係合ピンが、前記一方の開口部とは反対側の開口部から脱け出すような前記アーム本体の揺動を規制する拘束部材が設けられた構成を採用できる。この際、前記拘束部材は、前記アーム本体を前記ベース部材側へ押え込みながら前記アーム本体の揺動を規制する構成を採用してもよい。このような構成によれば、突起および拘束部材によりアーム本体を確実にガイド溝に正対できる位置にすることができ、係合ピンとガイド溝との係合が確実になる。
【００１０】
本発明の開き窓は、前記ストッパー部材を備えたことを特徴とする。
【発明の効果】
【００１１】
本発明のストッパー部材および開き窓によれば、一の部材で左右あるいは上下の開き勝手に対応できてコストの上昇を抑えることができるという効果がある。
【発明を実施するための最良の形態】
【００１２】
本発明の一実施形態に係るストッパー部材について図面を参照して説明する。
図１は、本実施形態に係るストッパー部材４が取り付けられた開き窓１を示す横断面図である。開き窓１は、図中左方に位置する図示しないヒンジを中心として、矢印Ａの方向に開閉する左開き窓として構成されている。図１に示すように、開き窓１は、建物の開口部に取り付けられる枠体２と、枠体２に対してヒンジ（図示略）により開閉自在に取り付けられ、断熱材５や複層ガラス６等がはめ込まれた障子３とを備えている。本実施形態のストッパー部材４は、枠体２と障子３との間に配置され、枠体２に対する障子３の開度を規制する機能を有している。
【００１３】
図２は、図１における開き窓１を左側から眺めた図である。
図１，図２に示すように、ストッパー部材４は、上端部が障子３の小口部分に揺動自在に取り付けられたアーム１０と、枠体２の内側部分に取り付けられたガイド枠３０と、ガイド枠３０に対して上下方向にスライド自在に取り付けられたスライド部材としてのスライダ４０と、スライダ４０を上下にスライドさせるための操作つまみ５０とを備えている。
【００１４】
図２に示すように、アーム１０は、アーム本体１２を有している。アーム本体１２の上端部は、ベース板１１を介して障子３に対して揺動自在に取り付けられている。アーム本体１２の下端部には、係合ピン１７が設けられている。
一方、ガイド枠３０には、上下方向に延びるとともに下端が開放した開放部Ｐを有するガイド溝３３Ａが形成されている。ガイド溝３３Ａには、開放部Ｐから導入した係合ピン１７が係合し、この係合ピン１７を上下方向にスライドさせることができる。スライダ４０は、操作つまみ５０を上下に操作することにより、開放部Ｐを開閉するものである。
【００１５】
従って、図２に示すように、スライダ４０により開放部Ｐを閉じた状態で障子３を開くと、アーム本体１２が基端部を支点として揺動しながら、その先端部に設けられた係合ピン１７がガイド溝３３Ａ内を上方へとスライドする。スライドした係合ピン１７は、最終的にはガイド溝３３Ａの上端部に当接し、それ以上スライドできなくなる。このように、障子３の開度は、係合ピン１７のスライド範囲、つまりアーム本体１２の揺動範囲に規制される。
また、スライダ４０を下方に移動させて開放部Ｐを開いた状態で障子３を開くと、係合ピン１７が開放部Ｐからガイド溝３３Ａの外部に出る。この場合は、係合ピン１７とガイド溝３３Ａとが係合しないので、障子３はアーム本体１２による開度の規制を受けることなく大きく開くことができる。
【００１６】
図３は、ストッパー部材４を示す分解斜視図である。図３に示すように、アーム１０と、スライダ４０が取り付けられたガイド枠３０とは互いに向い合うように位置している。なお、図３では、便宜上、アーム１０およびガイド枠３０の互いに向かい合う側の面を表面と称し、その反対側の面を裏面と称する。
図３に示すように、アーム１０は、基材１４を介して障子３（図２）に取り付けられた金属製のベース板１１と、ベース板１１の表面の上端部にピン１６により揺動自在に取り付けられた例えば金属製のアーム本体１２と、ベース板１１の表面の下端部に固定された例えば樹脂製の拘束部材１３とを備えている。ベース板１１とピン１６との間には、ばね１５が介挿されている。このばね１５は、アーム本体１２の上端部をベース板１１側に付勢している。なお、基材１４およびベース板１１が請求項のベース部材に対応する。
【００１７】
アーム本体１２は、ベース板１１に比べて上下方向に長く、かつ幅の小さな板状に形成されている。アーム本体１２の、ベース板１１の下端部よりも下側となる部分には、段差１２Ａが形成され、ベース板１１の裏面とアーム本体１２の段差１２Ａよりも下側の部分の裏面とが、ほぼ面一となっている。アーム本体１２の段差１２Ａよりも上側の部分には、係合孔１２Ｘが形成されている。また、上述のようにアーム本体１２の下端部には、ガイド枠３０側へ突出する係合ピン１７が取り付けられている。
【００１８】
拘束部材１３は、ベース板１１に取り付けられる規制部１８と、ベース板１１と隙間を隔てて対向するように規制部１８から延びる押え板１９と、押え板１９の裏面からベース板１１側へ突出する係合爪２０とにより構成されている。ベース板１１と押え板１９との隙間にアーム本体１２が導入されて収容され、アーム本体１２の係合孔１２Ｘに係合爪２０が係合する。
【００１９】
ガイド枠３０は、上板３１と、下板３２と、上板３１および下板３２の間をアーム１０側へ膨出させてなる膨出部３３とにより構成されている。上板３１および下板３２は、枠体２（図２）に取り付けられる。上板３１の上側の両隅角部には、取付台３１Ａ，３１Ｂがそれぞれ形成されている。図中の右側の取付台３１Ａには、アーム１０側に突出する突起３４が着脱自在に取り付けられている。なお、突起３４の役割については後述する。
【００２０】
膨出部３３には、上下方向に延びるとともに、下板３２と膨出部３３との間の段差部で下端が開放してなる開放部Ｐを有するガイド溝３３Ａが形成されている。ガイド溝３３Ａには、開放部Ｐからアーム本体１２に取り付けられた係合ピン１７が導入される。ガイド溝３３Ａに導入された係合ピン１７は、ガイド溝３３Ａと係合し、この状態でガイド溝３３Ａによって案内され上下方向にスライド可能である。
【００２１】
また、膨出部３３の裏面には、樹脂性のばね部材３６が取り付けられている。ばね部材３６は、ピン３７により膨出部３３の裏面に取り付けるための規制部３８と、規制部３８から下方へ突出し、先端が二又状で両側に弾性変形可能な突出片３９とにより構成されている。ガイド溝３３Ａの上端部へとスライドした係合ピン１７から、ばね部材３６に対して上向きの力が掛かかると、突出片３９が弾性変形して係合ピン１７と係合し、この係合ピン１７をガイド溝３３Ａの上端部で軸支する。また、係合ピン１７とばね部材３６とが係合した状態で、係合ピン１７に対して下向きの大きな力が加わると、突出片３９が弾性変形して、係合ピン１７とばね部材３６との係合が解除され、係合ピン１７は、ガイド溝３３Ａに沿って上下にスライド可能な状態に戻る。
【００２２】
下板３２の表面には、スライダ４０が取り付けられている。スライダ４０は、ガイド溝３３Ａの開放部Ｐを開閉するための開閉部４１と、開閉部４１の下側に位置するガイド部４３と、開閉部４１およびガイド部４３を接続する接続部４２とにより一体的に構成されている。
【００２３】
開閉部４１の上部には、アーム本体１２に取り付けられた係合ピン１７を収納可能な切欠き４５が形成されている。また、開閉部４１には、厚み方向に貫通し、上下方向に延びる長孔４６が形成されている。長孔４６には座金４７Ａを介してピン４７が挿通され、ピン４７は下板３２に取り付けられている。開閉部４１には、下板３２に形成された上下２つの係合孔３２Ａ，３２Ｂのいずれかに係合可能な係合爪４８が形成されている。
ガイド部４３には、上下方向に延びる溝部４９が形成されている。溝部４９には、枠体２に取り付けられたピン（図示略）が係合する。
【００２４】
このように、開閉部４１に形成され上下方向に延びる長孔４６にピン４７が挿通され、また、ガイド部４３に形成された上下方向に延びる溝部４９に前記ピンが係合することにより、スライダ４０は、ピン４７および前記ピンによって、ガイド枠３０の下板３２に対して上下方向にスライド可能に取り付けられる。スライダ４０を上下にスライドさせると、係合孔３２Ａ，３２Ｂのいずれかに係合爪４８が係合するため、スライダ４０を、開放部Ｐを開放させた位置（以下、開位置という）、または、開放部Ｐを閉じた位置（以下、閉位置という）に保持することができる。
【００２５】
図４，図５は、ストッパー部材４を正面から見た図であり、図４は、スライダ４０が閉位置にある場合を示し、図５は、スライダ４０が開位置にある場合を示している。図４に示すように、スライダ４０が閉位置にある場合には、ガイド枠３０の下端部とスライダ４０の上端部とが当接して、開放部Ｐがスライダ４０によって塞がれる。この場合には、係合ピン１７がガイド溝３３Ａ内に拘束される。
一方、図５に示すように、スライダ４０が開位置にある場合には、ガイド枠３０の下端部とスライダ４０の上端部とが離間するため、ガイド枠３０とスライダ４０との間には、左右（枠体２の室内側および室外側）の略対称な位置に開口部Ｑ１，Ｑ２がそれぞれ形成される。このように、開口部Ｑ１，Ｑ２を介して開放部Ｐが外部と連通するため、開口部Ｑ１，Ｑ２を介して開放部Ｐ側に係合ピン１７を出し入れすることができる。
【００２６】
図６，図７は、操作つまみ５０を示す側面図である。図６，図７に示すように、操作つまみ５０は、気密材５４を介して枠体２の室内側面Ｘに取り付けられる例えば樹脂製のつまみ本体５１と、つまみ本体５１の図中左面５１Ａにおける略中央位置に設けられた取付板５２と、つまみ本体５１および取付板５２の上下方向への摺動を規制するピン状部材５３とを備えている。
【００２７】
取付板５２は、枠体２に形成された上下方向に延びるスリットＳを介して、スライダ４０の接続部４２（図３）に取り付けられている。このように、スリットＳ内を取付板５２が上下に摺動できるため、つまみ本体５１を枠体２の室内側面Ｘに沿って上下に摺動させると、それに伴ってスライダ４０が上下にスライドする。
【００２８】
ピン状部材５３は、つまみ本体５１の取付板５２よりも下側の位置に設けられている。図６に示す状態で、ピン状部材５３の頭部５３Ａを操作者の指先やドライバー等の工具、専用の鍵などによって図中の左方向へと付勢しつつ回動させると、図７に示すように、ピン状部材５３がつまみ本体５１に係止され、これにより、ピン状部材５３の先端部５３Ｂがつまみ本体５１の図中左面から突出する。この突出した先端部５３ＢがスリットＳに挿通してスリットＳに係合することで、つまみ本体５１の下方への摺動が規制され、これにより、スライダ４０が閉位置に固定される。
【００２９】
また、図７に示す状態で、頭部５３Ａを前述とは逆の方向に回動させると、ピン状部材５３とつまみ本体５１との係止が解除され、図６に示すように、ピン状部材５３の先端部５３Ｂがつまみ本体５１内に引っ込んで、先端部５３ＢとスリットＳとの係合が解除され、つまみ本体５１の下方への摺動が可能となる。このため、操作つまみ５０を上下に操作することにより、スライダ４０の位置を閉位置と開位置との間で切り替えることができる。
【００３０】
このように、操作つまみ５０とスライダ４０とを連結させるためのスリットＳを利用して、操作つまみ５０の摺動を規制するロック機構を構成している。従って、ロック機構に用いる専用のスリットや孔などを別途形成する必要がないため、枠体２の気密性や水密性を確保できる。
また、本実施形態では、つまみ本体５１の摺動を規制するピン状部材５３をロック機構として設けたので、例えば、子供がいたずらで操作つまみ５０を操作して障子３を全開の状態とするのを防止でき、安全性が高まる。
また、本実施形態では、ピン状部材５３の進退操作を建物の外部から死角となる位置で工具や専用の鍵等を適用して行う構成を採用しているため、例えば、枠体２と障子３との隙間から手を伸ばして、外部からロック機構を解除するのを防止でき、防犯上有利である。
【００３１】
次に、本実施形態のストッパー部材４の作用について説明する。
図８は、障子３の開度が規制されていない状態において、障子３を開いた際のストッパー部材４を示す正面図であり、図９は、図８の側面図である。また、図１０は、障子３を閉じた際のストッパー部材４を示す正面図であり、図１１は、図１０の側面図である。
まず、障子３の開度が規制されていない状態において、図８の矢印Ｂに示すように、障子３を閉じていく場合について説明する。なお、スライダ４０は開位置にしておくものとする。上述のように、アーム本体１２の上端部は、ばね１５（図３）によってベース板１１側に付勢されるものの、アーム本体１２は上下に長いため、係合ピン１７がガイド溝３３Ａに係合しない状態（障子３の開度を規制していない状態）では、図９に示すように、アーム本体１２の下端部がガイド枠３０側（図中右側）へと開く場合がある。この場合に、障子３を閉じていくと、図８に示すように、ガイド枠３０側へ開いたアーム本体１２の下端部が枠体２の室外側面Ｙに当接することにより、障子３の回動に伴ってアーム本体１２が拘束部材１３側へ矢印Ｃの方向へと揺動する。この揺動してきたアーム本体１２は、押え板１９によって、押え板１９とベース板１１との間の隙間に案内され、また、アーム本体１２の下端部に設けられた係合ピン１７は、開口部Ｑ２から開放部Ｐ側へ入ってくる。
【００３２】
障子３を完全に閉じると、図１０に示すように、アーム本体１２の図中右端部１２Ｒが突起３４に当接することで、アーム本体１２の、開口部Ｑ１側（図中の右側）への揺動が規制される。また、アーム本体１２の左端部１２Ｌが拘束部材１３の規制部１８に当接することで、アーム本体１２の、開口部Ｑ２側（図中の左側）への揺動が規制される。また、図１１に示すように、アーム本体１２の下端部は押え板１９によって、押え板１９とベース板１１との間の隙間に導入されながらベース板１１側に押え込まれる。こうして、図１０に示すように、アーム本体１２とガイド枠３０とが正対し、係合ピン１７が開放部Ｐの下側に位置して、係合ピン１７をガイド溝３３Ａに導入できる状態となる。
【００３３】
この状態で操作つまみ５０を上方に摺動させると、図４に示すように、スライダ４０が閉位置となって開放部Ｐがスライダ４０によって塞がれ、係合ピン１７がガイド溝３３Ａ内に拘束される。この状態で障子３を開くと、係合ピン１７がガイド溝３３Ａに導入され、上記したように、障子３の開度はアーム本体１２によって規制されることとなる。このように障子３の開度を規制した状態で、障子３を開き切ると、図４に示すように、係合ピン１７は、弾性変形可能なばね部材３６によってガイド溝３３Ａの上端部で軸支される。これにより、障子３は開状態に保持され、風等によって障子３が閉じることはない。
【００３４】
また、障子３の開度の規制を解除したい場合には、障子３を閉じた状態で、図６に示すように、操作つまみ５０のロック機構を解除した後、操作つまみ５０を下方に摺動させてスライダ４０を開位置とする。この状態で障子３を開くと、アーム本体１２が拘束部材１３に収納された状態のまま、図８に示すように、その下端部の係合ピン１７が開口部Ｑ１からガイド溝３３Ａの外へと出るため、アーム本体１２による規制を受けることなく、障子３を大きく開放することができる。
【００３５】
本実施形態のストッパー部材４によれば、ガイド枠３０の両側の略対称な位置に開口部Ｑ１，Ｑ２を形成するとともに、係合ピン１７を導入する開口部Ｑ２とは反対側の開口部Ｑ１から係合ピン１７が脱け出すのを禁止する突起３４を着脱自在に設ける構成を採用したので、例えば、本実施形態のストッパー部材４を右開き窓に取り付ける際に、突起３４を左側の取付台３１Ｂに付けかえ、かつ前記実施形態とはベース板１１の表裏面を逆にして、アーム本体１２や、拘束部材１３、基材１４を付けかえることなどにより、ストッパー部材４を開き勝手の異なる開き窓にも簡単に対応できる。このため、一つのストッパー部材４で左右あるいは上下の開き勝手に対応でき、ストッパー部材４に掛かるコストの上昇を抑えることができる。
【００３６】
また、障子３を閉じた際に、アーム本体１２の左端部１２Ｌが拘束部材１３の規制部１８に当接するとともに、アーム本体１２の右端部１２Ｒが突起３４に当接する構成としたので、アーム本体１２をガイド枠３０に正対する位置に規制することができ、係合ピン１７とガイド溝３３Ａとの係合を確実に行うことができる。
【００３７】
また、ばね１５によってアーム本体１２の上端部をベース板１１側に付勢するとともに、障子３を閉じていった際に、押え板１９によってアーム本体１２の下端部をベース板１１側に押え付けて、ベース板１１と押え板１９との間の隙間に導入する構成としたので、アーム本体１２の下端部がガイド枠３０側へと開いていた場合であっても、障子３を閉じた際に押え板１９によってアーム本体１２をベース板１１に確実に沿わせることができ、障子３の開閉操作をスムーズに行うことができる。
【００３８】
なお、本発明は、前記実施形態には限定されない。前記実施形態では、ストッパー部材４を左開き窓１に取り付けたが、上開き窓や、下開き窓、右開き窓に取り付けてもよく、開き窓の種類は限定されない。なお、この場合には、適宜、各部材の位置を変更することにより簡単に対応できる。
【００３９】
次に、本発明の変形例について説明する。
図１２は、本発明の第１変形例に係るストッパー部材２００を示す正面図である。ストッパー部材２００は、前記実施形態のストッパー部材４とは、スライダ４０のガイド４３の構成が相違している。以下、この相違点を中心に説明する。
図１２に示すように、第１変形例に係るスライダ２４０を構成するガイド２４３には、上下方向に延びる溝部２４９が形成されている。溝部２４９には、枠体２（図２）に取り付けられたピン２４４が係合する。また、ガイド２４３には、溝部２４９の図中左側の中程の位置に開口部２４３Ａが形成されている。開口部２４３Ａには、枠体２に軸支された回動ピン２５０が挿通される。回動ピン２５０は、開口部２４３Ａに挿通されるピン本体２５１と、ピン本体２５１から突出した突出片２５２とにより構成されている。回動ピン２５０は、突出片２５２が図中の右向きに位置する施錠位置と、突出片２５２が図中の下向きに位置する解錠位置との間で、図１２中の矢印Ｄの方向に回動自在である。また、突出片２５２には、上下に縦長で、かつ紙面に直交する方向に貫通する貫通孔２５２Ａが形成されている。
【００４０】
このようなスライダ２４０において、図１２に示すように回動ピン２５０を施錠位置にすると、回動ピン２５０の突出片２５２が溝部２４９側に突出するため、スライダ２４０を下方へスライドさせようとしても、突出片２５２がピン２４４に当接して、スライダ４０の下方へのスライドが規制される。従って、スライダ２４０のスライドがロックされた状態となる。
一方、貫通孔２５２Ａに棒状の工具等を差し込んで回動ピン２５０を解錠位置まで回転させると、突出片２５２が溝部２４９側に突出しない状態となるため、スライダ４０は、回動ピン２５０に当接することなく、下方へのスライドすることが可能となる。従って、スライダ２４０のスライドのロックが解除された状態となる。
以上説明したように、第１変形例によれば、障子３を開いた状態で回動ピン２５０を回動させることにより、操作つまみ５０を枠体２の室内側面Ｘに設けることなく、スライダ２４０すスライドがロックされた状態と、スライダ２４０のスライダのロックが解除された状態との切り替えを簡単に行うことができる。
【００４１】
図１３は、本発明の第２変形例に係るストッパー部材３００の操作つまみ３５０を示す側面図である。ストッパー部材３００は、前記実施形態のストッパー部材４とは、操作つまみ３５０の構成が相違している。以下、この相違点を中心に説明する。
図１３に示すように、第２変形例に係る操作つまみ３５０は、気密材３５６を介して枠体２の室内側面Ｘにビス止めされた例えば樹脂製のスペーサ３５３と、枠体２に対して上下方向にスライド自在に取り付けられたつまみ本体３５１と、つまみ本体３５１の図中左面に設けられた取付板５２とを備えている。
【００４２】
つまみ本体３５１には、図中の左右方向に貫通する貫通孔３５１Ａが形成されている。また、つまみ本体３５１の図中左面における、貫通孔３５１Ａの上部には、スペーサ３５３側に突出する突起３５１Ｂが形成されている。
スペーサ３５３は、図中左面が枠体２に取り付けられ、かつ図中右面がつまみ本体３５１に当接するスペーサ本体３５４と、スペーサ本体３５４の上端から上方へ突出した突出部３５５とにより構成されている。突出部３５５には、つまみ本体３５１側へ、突起３５１Ｂの先端位置を超えて突出する爪部３５５Ａが形成され、この爪部３５５Ａの下部には、テーパ面３５５Ｂが形成されている。
【００４３】
従って、図１３に示す状態で、つまみ本体３５１を下方へとスライドさせようとしても、突起３５１Ｂが突出部３５５の上面に当接して、操作つまみ３５０の下方へのスライドが規制される。従って、操作つまみ３５０のスライドがロックされた状態となる。
一方、貫通孔３５１Ａに棒状の工具等を差し込んで、突出部３５５を枠体２側へと弾性変形させることにより、爪部３５５Ａを突起３５１Ｂの先端部よりも図中左側まで移動させると、突起３５１Ｂと爪部３５５Ａとが当接することなく、つまみ本体３５１を下方へとスライドさせることができる。従って、操作つまみ３５０のスライドのロックが解除された状態となる。また、このようにして下方へスライドさせたつまみ本体３５１を上方へスライドさせると、突起３５１Ｂが突出部３５５のテーパ面３５５Ｂに当接しながらスライドすることにより、突出部３５５が枠体２側へと弾性変形することで、突起３５１Ｂが突出部３５５の上側に位置するまで、つまみ本体３５１を操作することができる。このようにして、操作つまみ３５０のスライドがロックされた状態に戻ることになる。
従って、このような第２変形例によれば、操作つまみ３５０のスライドがロックされた状態と、スライダ２４０のスライドのロックが解除された状態との切り替えを簡単に行うことができる。
【図面の簡単な説明】
【００４４】
【図１】本実施形態に係るストッパー部材が取り付けられた左開き窓を示す横断面図である。
【図２】図１における開き窓を左側から眺めた図である。
【図３】前記ストッパー部材を示す分解斜視図である。
【図４】前記ストッパー部材を正面から見た図であり、スライダが閉位置にある場合を示している。
【図５】前記ストッパー部材を正面から見た図であり、スライダが開位置にある場合を示している。
【図６】操作つまみを示す側面図である。
【図７】操作つまみを示す側面図である。
【図８】障子の開度が規制されていない状態において、障子を開いた際のストッパー部材を示す正面図である。
【図９】図８の側面図である。
【図１０】障子を閉じた際のストッパー部材を示す正面図である。
【図１１】図１０の側面図である。
【図１２】本発明の第１変形例に係るストッパー部材を示す正面図である。
【図１３】本発明の第２変形例に係る操作つまみを示す側面図である。
【図１４】右開き窓に取り付けられた従来のストッパー部材を示す側面図である。
【符号の説明】
【００４５】
１      開き窓
２，１０１      枠体
３，１０２      障子
４，１００，２００，３００      ストッパー部材
１０，１１０      アーム
１１      ベース板（ベース部材）
１２      アーム本体
１３      拘束部材
１４      基材（ベース部材）
１７，１１２    係合ピン
１８      規制部
１９      押え板
２０      係合爪
３０，１２０    ガイド枠
３３Ａ    ガイド溝
３４      突起
４０，２４０    スライダ（スライド部材）
４５      切欠き
Ｐ        開放部（一端部）
Ｑ１，Ｑ２      開口部
【図１】
2005344291.tif 000003
【図２】
2005344291.tif 000004
【図３】
2005344291.tif 000005
【図４】
2005344291.tif 000006
【図５】
2005344291.tif 000007
【図６】
2005344291.tif 000008
【図７】
2005344291.tif 000009
【図８】
2005344291.tif 000010
【図９】
2005344291.tif 000011
【図１０】
2005344291.tif 000012
【図１１】
2005344291.tif 000013
【図１２】
2005344291.tif 000014
【図１３】
2005344291.tif 000015
【図１４】
2005344291.tif 000016